(57)【要約】【解決手段】隅桁３の外側面３ａと下部デッキボード２の周縁突出部２ａとにより形成される隅部Ｃに、前記周縁突出部の略先端部２ａ１から、前記隅桁の外側面に向かって傾斜した傾斜面８ａを有する、側面形状が略三角形状の迫上げ防止リブ８を形成した合成樹脂製パレットに関するものである。【効果】隅桁の外側面と下部デッキボードの周縁突出部とにより形成される隅部に、前記周縁突出部の略先端部から、前記隅桁の外側面に向かって傾斜した傾斜面を有する、側面形状が略三角形状の迫上げ防止リブを形成したので、迫上げ防止リブが、従来の上部デッキボードの周縁突出部と下部デッキボードの周縁突出部とを連結するように形成された迫上げ防止リブに比べて短いので、合成樹脂製パレットの重量を軽量化することができる。【選択図】図２
2004168336.tif 000002
【特許請求の範囲】
【請求項１】
隅桁の外側面と下部デッキボードの周縁突出部とにより形成される隅部に、前記周縁突出部の略先端部から、前記隅桁の外側面に向かって傾斜した傾斜面を有する、側面形状が略三角形状の迫上げ防止リブを形成したことを特徴とする合成樹脂製パレット。
【請求項２】
隅桁の側壁を、前記隅桁の内側から外側に向かって膨出させることにより、迫上げ防止リブを形成したことを特徴とする請求項１に記載の合成樹脂製パレット。
【請求項３】
ストレッチフィルムが引っ掛かる係止突条を、迫上げ防止リブの上方に形成したことを特徴とする請求項１又は請求項２に記載の合成樹脂製パレット。
【発明の詳細な説明】
【０００１】
【発明の属する技術分野】
本発明は、荷物を載置して、荷物の運搬や保管等に使用される合成樹脂製パレットに関するものである。
【０００２】
【従来の技術】
上部デッキボードと下部デッキボードとの角部を連結する隅桁と、相対する隅桁の中間に位置する上部デッキボードと下部デッキボードとを連結する中間桁と、上部デッキボードと下部デッキボードとの中央部を連結する中央桁とを有するとともに、上部デッキボードと下部デッキボードの周縁に、隅桁と中間桁の外側面（フォーク挿入孔に面していない、外側に位置する側面）から突出している周縁突出部を有する合成樹脂製パレットにおいて、隅桁の外側面に、上部デッキボードに形成された周縁突出部と下部デッキボードに形成された周縁突出部とを連結する略垂直な迫上げ防止リブを形成した合成樹脂製パレットが知られている（例えば、特開平９−２４９３９号公報等）。このような迫上げ防止リブを形成したことにより、合成樹脂製パレットの側部同士が当接した際に、一方の合成樹脂製パレットの下部デッキボードの周縁突出部に、もう一方の合成樹脂製パレットの下部デッキボードの周縁突出部が乗り上げて、もう一方の合成樹脂製パレットが傾くようなことが防止できるとともに、このような乗り上げた状態で、一方の合成樹脂製パレットをフォークリフトで持ち上げた際に、もう一方の合成樹脂製パレットが、一緒に持ち上げられるというような問題を解決することができる。
【０００３】
また、隅桁のコーナー部に、巻回されるストレッチフィルムが引っ掛かるように、係止突条を形成した合成樹脂製パレットが知られている（例えば、特開２００２−１７９０６５号公報、特開平９−２４７１号公報等）。このような係止突条を形成することにより、荷物が載置された合成樹脂製パレットを、荷物ごと、ストレッチフィルムで包装した際に、ストレッチフィルムが、上記の隅桁のコーナー部に形成された係止突条に引っ掛かり、ストレッチフィルムのずり上がりを防止することができる。
【０００４】
【発明が解決しようとする課題】
上述した従来の合成樹脂製パレットにおいては、隅桁の外側面に形成された迫上げ防止リブが、上部デッキボードに形成された周縁突出部と下部デッキボードに形成された周縁突出部とを連結するように構成されているので、迫上げ防止リブが長く、しかも、無垢に形成されているので、従って、近年その軽量化が求められている合成樹脂製パレットの重量が増加するという問題があった。
【０００５】
また、隅桁のコーナー部に、巻回されるストレッチフィルムが引っ掛かるような係止突条が形成されている合成樹脂製パレットにおいて、係止突条を挟むように、隅桁の外側面に、迫上げ防止リブを形成した場合には、迫上げ防止リブにストレッチフィルムが当接し、係止突条に引っ掛からないという問題があった。
【０００６】
本発明の目的は、上述した従来の合成樹脂製パレットが有する課題を解決することにある。
【０００７】
【課題を解決するための手段】
本発明は、上述した目的を達成するために、第１には、隅桁の外側面と下部デッキボードの周縁突出部とにより形成される隅部に、前記周縁突出部の略先端部から、前記隅桁の外側面に向かって傾斜した傾斜面を有する、側面形状が略三角形状の迫上げ防止リブを形成したものであり、第２には、隅桁の側壁を、前記隅桁の内側から外側に向かって膨出させることにより、迫上げ防止リブを形成したものであり、第３には、ストレッチフィルムが引っ掛かる係止突条を、迫上げ防止リブの上方に形成したものである。
【０００８】
【実施例】
以下に、本発明の実施例について説明するが、本発明の趣旨を越えない限り何ら、本実施例に限定されるものではない。
【０００９】
合成樹脂製パレットは、上部デッキボード１と、下部デッキボード２と、上部デッキボード１と下部デッキボード２の角部を連結する略角筒状の隅桁３と、相対する隅桁３の中間に位置する上部デッキボード１と下部デッキボード２とを連結する略角筒状の中間桁４と、上部デッキボード１と下部デッキボード２との中央部を連結する略角筒状の中央桁５とを有している。そして、隅桁３と中間桁４との間及び中間桁４と中央桁５との間には、フォーク挿入孔６が形成されている。
【００１０】
上部デッキボード１の周縁には、隅桁３のフォーク挿入孔６に面していない外側面３ａ（隅桁３の外側角部３’を挟んで位置する外側面）及び中間桁４のフォーク挿入孔６に面していない外側面４ａより、外側水平方向に突出している周縁突出部１ａが形成されており、同様に、下部デッキボード２の周縁にも、隅桁３のフォーク挿入孔６に面していない外側面３ａ及び中間桁４のフォーク挿入孔６に面していない外側面４ａより、外側水平方向に突出している周縁突出部２ａが形成されている。
【００１１】
隅桁３の外側角部３’を挟んで位置する外側面３ａには、所定の間隔で略等間隔に、且つ、上部デッキボード１に形成された周縁突出部１ａ及び下部デッキボード２に形成された周縁突出部２ａと略平行な連続した或いは不連続な係止突条７が形成されている。係止突条７は、隅桁３の外側角部３’を含み、外側角部３’から中間桁４方向に延在しており、外側角部３’から隅桁３の外側面３ａの全幅に亘たって形成することも、また、外側角部３’付近にのみ形成することもできる。
【００１２】
隅桁３の外側面３ａと下部デッキボード２に形成された周縁突出部２ａとにより形成される隅部Ｃには、周縁突出部２ａの略先端部２ａ１から、隅桁３の外側面３ａに向かって傾斜した傾斜面８ａを有する、側面形状が略三角形状の迫上げ防止リブ８が形成されている。迫上げ防止リブ８は、隅桁３の外側角部３’を挟んで位置する外側面３ａに、それぞれ、１個以上形成されているとともに、上述した係止突条７のうち、一番下に位置する係止突条７まで、或いは、一番下に位置する係止突条７の下端７ａの水平延長線Ｌ１まで延在しないように、即ち、迫上げ防止リブ８と一番下に位置する係止突条７、或いは、一番下に位置する係止突条７の下端７ａの水平延長線Ｌ１との間には、所定の間隙が形成されるように構成されている。
【００１３】
上述した迫上げ防止リブ８は、隅桁３の外側面３ａと下部デッキボード２に形成された周縁突出部２ａとにより形成される隅部Ｃが、無垢の状態になるように、即ち、迫上げ防止リブ８に肉厚が、周縁突出部２ａから上方に向かうに従って、徐々に、肉薄となるように形成することも、或いは、隅桁３の外側面３ａを構成する側壁３”を、隅桁３の内側から外側に向かって膨出させることにより、迫上げ防止リブ８の肉厚が、周縁突出部２ａから上方に向かって、略一定な肉薄となるように形成することもできる。隅桁３を構成する側壁３”を、隅桁３の内側から外側に向かって膨出させることにより、迫上げ防止リブ８の肉厚が、周縁突出部２ａから上方に向かって、略一定な肉薄となるように形成した場合には、迫上げ防止リブ８が形成されている隅桁３の側壁３”には、凹部９が形成されることになる。このように、隅桁３を構成する側壁３”を、隅桁３の内側から外側に向かって膨出させることにより、無垢に形成された迫上げ防止リブ８に比べ、合成樹脂製パレットの重量を軽量化することができる。
【００１４】
上述した隅桁３の外側角部３’を挟んで位置する外側面３ａに形成された係止突条７は、合成樹脂製パレットの水平中心線Ｌ２より、上方に形成されていることが好ましく、また、一番下に位置する係止突条７の下端７ａと、迫上げ防止リブ８の上端８ｂとの間には、合成樹脂製パレットの高さＨ１の半分程度の間隙が形成されていることが好ましい。この間隙が狭いと、隅桁３の外側面３ａに形成された係止突条７に、ストレッチフィルムを引っ掛ける際に、ストレッチフィルムが、迫上げ防止リブ８の上端部を覆う可能性が高くなる。ストレッチフィルムが、迫上げ防止リブ８を覆うと、ストレッチフィルムが、十分に、係止突条７に引っ掛からないというトラブルが発生したり、迫上げ防止リブ８の機能が失われるので好ましくない。
【００１５】
上述したような迫上げ防止リブ８を形成することにより、図５に示されているように、合成樹脂製パレットＰ１、Ｐ２の側部同士が当接し、一方の合成樹脂製パレットＰ２の下部デッキボード２の周縁突出部２ａに、もう一方の合成樹脂製パレットＰ１の下部デッキボード２の周縁突出部２ａが乗り上げようとしても、もう一方の合成樹脂製パレットＰ１が、一方の合成樹脂製パレットＰ２に形成された迫上げ防止リブ８の傾斜面８ａに沿って、下方に滑り落ちるので、一方の合成樹脂製パレットＰ２の下部デッキボード２の周縁突出部２ａに、もう一方の合成樹脂製パレットＰ１の下部デッキボード２の周縁突出部２ａが乗り上げるようなことを防止することができる。
【００１６】
図６に示されている実施例には、隅桁３の外側面３ａと下部デッキボード２に形成された周縁突出部２ａとにより形成される隅部Ｃのうち、外側角部３’を含み、外側角部３’付近に位置する隅部Ｃに、周縁突出部２ａの略先端部２ａ１から、隅桁３の外側面３ａに向かって傾斜した傾斜面８ａ’を有する、側面形状が略三角形状の迫上げ防止リブ８’が形成されている例が示されている。このような迫上げ防止リブ８’も、隅桁３の外側角部３’付近に位置する側壁３”を、隅桁３の内側から外側に向かって膨出させることにより、迫上げ防止リブ８’の肉厚が、周縁突出部２ａから上方に向かって、略一定な肉薄となるように形成されている。このように、迫上げ防止リブ８’を、隅桁３の外側角部３’付近に位置する側壁３”を、隅桁３の内側から外側に向かって膨出させて、迫上げ防止リブ８’の肉厚を、周縁突出部２ａから上方に向かって、略一定な肉薄に形成することにより、迫上げ防止リブ８’を無垢に形成した場合に比べて、合成樹脂製パレットの重量を軽量化することができる。
【００１７】
上述したように、隅桁３の外側面３ａと下部デッキボード２に形成された周縁突出部２ａとにより形成される隅部Ｃに、周縁突出部２ａの略先端部２ａ１から、隅桁３の外側面３ａに向かって傾斜した傾斜面８ａ、８ａ’を有する、側面形状が略三角形状の迫上げ防止リブ８、８’を形成したので、迫上げ防止リブ８、８’が、従来の上部デッキボード１の周縁突出部１ａと下部デッキボード２の周縁突出部２ａとを連結するように形成された迫上げ防止リブに比べて短いので、合成樹脂製パレットの重量を軽量化することができる。
【００１８】
また、隅桁３の側壁３”を、隅桁３の内側から外側に向かって膨出させることにより、迫上げ防止リブ８、８’を、略一定な肉薄に形成したので、迫上げ防止リブ８’を無垢に形成した場合に比べて、合成樹脂製パレットの重量を軽量化することができる。
【００１９】
更に、ストレッチフィルムが引っ掛かる係止突条７を、迫上げ防止リブ８、８’の上方に形成したので、ストレッチフィルムが、迫上げ防止リブ８、８’を覆うようなことを防止でき、従って、ストレッチフィルムが、確実に、係止突条７に引っ掛けられるとともに、迫上げ防止リブ８の機能が失われるようなことを防止することができる。
【００２０】
【発明の効果】
本発明は、以上説明した構成を有しているので、いかに記載する効果を奏するものである。
【００２１】
隅桁の外側面と下部デッキボードの周縁突出部とにより形成される隅部に、前記周縁突出部の略先端部から、前記隅桁の外側面に向かって傾斜した傾斜面を有する、側面形状が略三角形状の迫上げ防止リブを形成したので、迫上げ防止リブが、従来の上部デッキボードの周縁突出部と下部デッキボードの周縁突出部とを連結するように形成された迫上げ防止リブに比べて短いので、合成樹脂製パレットの重量を軽量化することができる。
【００２２】
隅桁の側壁を、前記隅桁の内側から外側に向かって膨出させることにより、迫上げ防止リブを形成したので、従来の迫上げ防止リブを無垢に形成した場合に比べて、合成樹脂製パレットの重量を軽量化することができる。
【００２３】
ストレッチフィルムが引っ掛かる係止突条を、迫上げ防止リブの上方に形成したので、ストレッチフィルムが、迫上げ防止リブを覆うようなことを防止でき、従って、ストレッチフィルムが、確実に、係止突条に引っ掛けられるとともに、迫上げ防止リブの機能が失われるようなことを防止することができる。
【図面の簡単な説明】
【図１】図１は本発明の合成樹脂製パレットの斜視図である。
【図２】図２は図１の合成樹脂製パレットの隅桁付近の部分斜視図である。
【図３】図３は図１の合成樹脂製パレットの隅桁付近の部分正面図である。
【図４】図４は図１の合成樹脂製パレットの隅桁の部分側断面図である。
【図５】図５は図１の合成樹脂製パレット同士が当接した状態の部分正面図である。
【図６】図６は本発明の合成樹脂製パレットの別の実施例の隅桁付近の部分斜視図である。
【符号の説明】
１・・・・・・・・・・・・・上部デッキボード
１ａ・・・・・・・・・・・・周縁突出部
２・・・・・・・・・・・・・下部デッキボード
２ａ・・・・・・・・・・・・周縁突出部
３・・・・・・・・・・・・・隅桁
３’・・・・・・・・・・・・外側角部
３”・・・・・・・・・・・・側壁
７・・・・・・・・・・・・・係止突条
８、８’・・・・・・・・・・迫上げ防止リブ
８ａ、８ａ’・・・・・・・・傾斜面
【図１】
2004168336.tif 000003
【図２】
2004168336.tif 000004
【図３】
2004168336.tif 000005
【図４】
2004168336.tif 000006
【図５】
2004168336.tif 000007
【図６】
2004168336.tif 000008